(57)【特許請求の範囲】
【請求項１】
データ放送コンテンツを受信する受信機と、前記受信機からネットワーク経由で情報を提供する資格のある該当者からの情報を収集する情報収集装置とを有する情報収集システムであって、
前記受信機は、
前記データ放送コンテンツとして前記該当者に情報を登録させる情報登録コンテンツ及び前記該当者に情報を登録させる前記受信機の識別情報リストを受信する受信手段と、
前記情報登録コンテンツにより、自機の識別情報を取得し、その識別情報が前記識別情報リストに含まれていれば前記該当者に情報を登録させ、登録された情報及び自機の識別情報を前記情報収集装置に送信するように動作する送信手段とを有し、
前記情報収集装置は、
前記ネットワーク経由で前記情報を送信した前記受信機の正当性を認証する認証手段と、
認証が成功した前記受信機から情報の登録を受け付ける情報登録手段と、
登録された前記情報を提供する情報提供手段とを有する
ことを特徴とする情報収集システム。
【請求項２】
前記受信機の送信手段は、前記情報収集装置に前記情報を送信するときに第１不揮発性記憶装置に送信フラグが記憶されていなければ前記第１不揮発性記憶装置に送信フラグを記憶し、前記情報収集装置に前記情報を送信するときに前記第１不揮発性記憶装置に送信フラグが記憶されていれば前記第１不揮発性記憶装置から送信フラグを読み出して前記情報と共に前記情報収集装置に送信し、
前記情報収集装置の認証手段は、前記受信機から前記送信フラグの無い前記情報を受信したときに第２不揮発性記憶装置に前記受信機の識別情報が記憶されていなければ前記第２不揮発性記憶装置に前記受信機の識別情報を記憶した後、認証を成功と判定し、
前記受信機から前記送信フラグの無い前記情報を受信したときに第２不揮発性記憶装置に前記受信機の識別情報が記憶されていれば認証を失敗と判定する
ことを特徴とする請求項１記載の情報収集システム。
【請求項３】
前記情報収集装置の認証手段は、前記受信機から前記送信フラグの有る前記情報を受信したときに第２不揮発性記憶装置に前記受信機の識別情報が記憶されていなければ認証を失敗と判定し、
前記受信機から前記送信フラグの有る前記情報を受信したときに第２不揮発性記憶装置に前記受信機の識別情報が記憶されていれば認証を成功と判定する
ことを特徴とする請求項２記載の情報収集システム。
【請求項４】
データ放送コンテンツを受信する受信機と、前記受信機からネットワーク経由で情報を提供する資格のある該当者からの情報を収集する情報収集装置とを有する情報収集システムであって、
前記受信機は、
前記データ放送コンテンツとして前記該当者の認証を行う認証コンテンツ及び前記該当者に情報を登録させる前記受信機の識別情報リストを受信する第１受信手段と、
前記認証コンテンツにより、自機の識別情報を取得し、その識別情報が前記識別情報リストに含まれていれば前記該当者に認証情報を入力させ、入力された認証情報及び自機の識別情報を前記情報収集装置に送信する第１送信手段と、
前記情報収集装置から認証成功の認証結果を受信すると、前記情報収集装置に自機の識別情報を送信して、前記該当者に情報を登録させる情報登録コンテンツを受信する第２受信手段と、
前記情報登録コンテンツにより、前記該当者に情報を登録させ、登録された情報を前記情報収集装置に送信するように動作する第２送信手段とを有し、
前記情報収集装置は、
前記ネットワーク経由で前記認証情報を送信した前記該当者の正当性を認証する認証手段と、
認証が成功した前記受信機から前記受信機の識別情報を受信すると、前記情報登録コンテンツを前記受信機に送信する情報登録コンテンツ送信手段と、
前記情報登録コンテンツを受信した前記受信機から情報の登録を受け付ける情報登録手段と、
登録された前記情報を提供する情報提供手段とを有する
ことを特徴とする情報収集システム。
【請求項５】
前記受信機は、前記情報収集装置から認証成功の認証結果を受信すると、認証成功フラグを不揮発性記憶装置に記憶しておき、前記認証コンテンツの起動時、前記不揮発性記憶装置に前記認証成功フラグが記憶されていれば、前記第２受信手段が前記情報収集装置に自機の識別情報を送信して、前記該当者に情報を登録させる情報登録コンテンツを受信することを特徴とする請求項４記載の情報収集システム。
【請求項６】
前記第２受信手段は、前記情報登録コンテンツを受信する前に、前記情報収集装置に自機の識別情報を送信して、初期設定を行う為の初期設定コンテンツを受信することを特徴とする請求項４又は５記載の情報収集システム。
【請求項７】
前記情報提供手段は、登録された前記情報を放送する放送手段であることを特徴とする請求項１乃至６何れか一項記載の情報収集システム。
【請求項８】
データ放送コンテンツを受信した受信機からネットワーク経由で情報を提供する資格のある該当者からの情報を収集する情報収集装置であって、
前記データ放送コンテンツとして前記該当者に情報を登録させる情報登録コンテンツ及び前記該当者に情報を登録させる前記受信機の識別情報リストを送信する送信手段と、
前記識別情報リストに含まれた識別情報を有する前記受信機から前記情報登録コンテンツに登録された情報及び前記受信機の識別情報を受信する受信手段と、
受信した前記受信機の識別情報を用いて、前記ネットワーク経由で前記情報を送信した前記受信機の正当性を認証する認証手段と、
認証が成功した前記受信機から情報の登録を受け付ける情報登録手段と、
登録された前記情報を提供する情報提供手段とを有する
ことを特徴とする情報収集装置。
【請求項９】
データ放送コンテンツを受信し、ネットワーク経由で情報を提供する資格のある該当者からの情報を情報収集装置に送信する受信機であって、
前記データ放送コンテンツとして前記該当者に情報を登録させる情報登録コンテンツ及び前記該当者に情報を登録させる前記受信機の識別情報リストを受信する受信手段と、
前記情報登録コンテンツにより、自機の識別情報を取得し、その識別情報が前記識別情報リストに含まれていれば前記該当者に情報を登録させ、登録された情報及び自機の識別情報を前記情報収集装置に送信するように動作する送信手段とを有する
ことを特徴とする受信機。
【発明の詳細な説明】
【技術分野】
【０００１】
本発明は、情報収集システム、情報収集装置及び受信機に係り、特に情報を提供する資格のある該当者からの情報をネットワーク経由で収集する情報収集システム、情報収集装置及び受信機に関する。
【背景技術】
【０００２】
例えば放送局では大規模災害が発生した際に、被災者の安否情報を収集して放送している。従来、放送局は被災者からの安否情報を電話やファックスで収集していた。また、その他の方法として、放送局では災害時に被災者の安否情報をインターネット上に開設した安否情報登録サイトに登録してもらうことで収集していた。
【０００３】
ところで、携帯電話の音声通話回線は災害時に輻輳する傾向にある。一方、携帯電話のパケット通信回線は比較的利用できる。例えば特許文献１には携帯端末からの安否情報を受け取る災害情報システムの一例が記載されている。
【特許文献１】特開２００７−１８４３２号公報
【発明の開示】
【発明が解決しようとする課題】
【０００４】
しかし、携帯メールやＷｅｂを利用して安否情報を収集する場合は「どこからでも、誰でも登録できる」という特徴から「被災者であることを特定することが不可能」であり、被災者になりすました偽の情報（所謂、いたずら）が多く、安否情報の信憑性が低下するという問題があった。
【０００５】
したがって、放送局では大規模災害が発生した際に、被災地（避難所）からの安否情報を、インターネットを利用して効率的に収集し、かつ、いたずらを限定的にすることが求められている。
【０００６】
本発明は、上記の点に鑑みなされたもので、情報を提供する資格のある該当者からの情報を収集することができ、該当者以外からの情報を排除して、情報の信憑性を保つことができる情報収集システム、情報収集装置及び受信機を提供することを目的とする。
【課題を解決するための手段】
【０００７】
上記課題を解決するため、本発明は、データ放送コンテンツを受信する受信機と、前記受信機からネットワーク経由で情報を提供する資格のある該当者からの情報を収集する情報収集装置とを有する情報収集システムであって、前記受信機は、前記データ放送コンテンツとして前記該当者に情報を登録させる情報登録コンテンツ及び前記該当者に情報を登録させる前記受信機の識別情報リストを受信する受信手段と、前記情報登録コンテンツにより、自機の識別情報を取得し、その識別情報が前記識別情報リストに含まれていれば前記該当者に情報を登録させ、登録された情報及び自機の識別情報を前記情報収集装置に送信するように動作する送信手段とを有し、前記情報収集装置は、前記ネットワーク経由で前記情報を送信した前記受信機の正当性を認証する認証手段と、認証が成功した前記受信機から情報の登録を受け付ける情報登録手段と、登録された前記情報を提供する情報提供手段とを有することを特徴とする。
【０００８】
また、本発明は、データ放送コンテンツを受信する受信機と、前記受信機からネットワーク経由で情報を提供する資格のある該当者からの情報を収集する情報収集装置とを有する情報収集システムであって、前記受信機は、前記データ放送コンテンツとして前記該当者の認証を行う認証コンテンツ及び前記該当者に情報を登録させる前記受信機の識別情報リストを受信する第１受信手段と、前記認証コンテンツにより、自機の識別情報を取得し、その識別情報が前記識別情報リストに含まれていれば前記該当者に認証情報を入力させ、入力された認証情報及び自機の識別情報を前記情報収集装置に送信する第１送信手段と、前記情報収集装置から認証成功の認証結果を受信すると、前記情報収集装置に自機の識別情報を送信して、前記該当者に情報を登録させる情報登録コンテンツを受信する第２受信手段と、前記情報登録コンテンツにより、前記該当者に情報を登録させ、登録された情報を前記情報収集装置に送信するように動作する第２送信手段とを有し、前記情報収集装置は、前記ネットワーク経由で前記認証情報を送信した前記該当者の正当性を認証する認証手段と、認証が成功した前記受信機から前記受信機の識別情報を受信すると、前記情報登録コンテンツを前記受信機に送信する情報登録コンテンツ送信手段と、前記情報登録コンテンツを受信した前記受信機から情報の登録を受け付ける情報登録手段と、登録された前記情報を提供する情報提供手段とを有することを特徴とする。
【０００９】
なお、本発明の構成要素、表現または構成要素の任意の組合せを、方法、装置、システム、コンピュータプログラム、記録媒体、データ構造などに適用したものも本発明の態様として有効である。
【発明の効果】
【００１０】
本発明によれば、情報を提供する資格のある該当者からの情報を収集することができ、該当者以外からの情報を排除して、情報の信憑性を保つことができる情報収集システム、情報収集装置及び受信機を提供可能である。
【発明を実施するための最良の形態】
【００１１】
次に、本発明を実施するための最良の形態を、以下の実施例に基づき図面を参照しつつ説明していく。なお、本実施例では情報を提供する資格のある該当者からの情報の一例として被災者の安否情報を収集する例を説明するが、これに限定されるものではない。
【実施例１】
【００１２】
図１は本発明の情報収集システムの一例の構成図である。図１の情報収集システムは情報収集装置１とデジタル放送受信機５とがインターネット網などのネットワーク３経由で接続されている。デジタル放送受信機５はデータ放送を受信可能であり、且つ双方向サービス（ｉｎｔｅｒａｃｔｉｖｅ  ｓｅｒｖｉｃｅ）を利用可能である。
【００１３】
情報収集装置１は、安否登録コンテンツ生成装置１０，プログラムＤＢ１１，Ｂ−ＣＡＳ番号ＤＢ１２，データ放送装置１３，認証登録放送装置１４を含む構成である。なお、図１の情報収集システムでは、１つの筐体からなる情報収集装置１を一例として記載しているが、安否登録コンテンツ生成装置１０，プログラムＤＢ１１，Ｂ−ＣＡＳ番号ＤＢ１２，データ放送装置１３，認証登録放送装置１４の一部又は全部を別々の筐体に設置してもよい。
【００１４】
安否登録コンテンツ生成装置１０は、プログラムＤＢ１１から読み出した安否登録コンテンツのプログラム本体（ａｎｐｉ．ｂｍｌ）と、Ｂ−ＣＡＳ番号ＤＢ１２から読み出した安否情報登録画面７の表示対象となるＢ−ＣＡＳ番号を表したファイル（ｂｃａｓ．ｂｔｂ）とにより、安否登録コンテンツを作成する。
【００１５】
安否登録コンテンツのプログラム本体は、例えば放送用マークアップ言語（ＢＭＬ）により記述される。ＢＭＬとは、静止画データ，テキストデータ，付加音声等の素材（モノメディア）の配置や各種制御等を行う情報を符号化したものである。Ｂ−ＣＡＳ番号ＤＢ１２には、安否情報登録画面７の表示対象となるＢ−ＣＡＳ番号として、避難所４に設置されたデジタル放送受信機５のＢ−ＣＡＳ番号が登録されているものとする。
【００１６】
安否登録コンテンツ生成装置１０で作成された安否登録コンテンツはデータ放送装置１３に送信される。データ放送装置１３は安否登録コンテンツをデータ放送コンテンツとして放送する。デジタル放送におけるデータ放送については、例えば「ＡＲＩＢ  ＳＴＤ−Ｂ２４」に詳しく記載されている。
【００１７】
避難所４に設置されているデジタル放送受信機５はデータ放送網２経由でデータ放送装置１３からのデータ放送を受信し、ディスプレイ装置６に安否情報登録画面７を表示する。このとき、いたずらの発生を抑えるため、図１の情報収集システムでは、避難所４に設置したデジタル放送受信機５が安否情報登録画面７を表示できるようにし、避難所４以外に設置したデジタル放送受信機５が安否情報登録画面７を表示できないようにしている。
【００１８】
避難所４に設置したデジタル放送受信機５が安否情報登録画面７を表示できるようにし、避難所４以外に設置したデジタル放送受信機５が安否情報登録画面７を表示できないようにする仕組みとしては、例えばデジタル放送受信機５を一意に識別できるＢ−ＣＡＳ番号を利用することで実現できる。
【００１９】
Ｂ−ＣＡＳ番号は、デジタル放送受信機５に挿入されたＢ−ＣＡＳカードから取得できる。データ放送に先立ち、図１の情報収集システムでは、避難所４に設置したデジタル放送受信機５のＢ−ＣＡＳ番号を情報収集装置１側で把握しておく。
【００２０】
図１の情報収集システムでは、例えば安否情報登録画面７を表示できるデジタル放送受信機５のＢ−ＣＡＳ番号を安否登録コンテンツのプログラム本体と共にデータ放送として放送することにより、避難所４に設置したデジタル放送受信機５で安否情報登録画面７を表示でき、避難所４以外に設置したデジタル放送受信機５が安否情報登録画面７を表示できないようにすることができる。
【００２１】
被災者はデジタル放送受信機５の情報入力機能を利用し、ディスプレイ装置６に表示された安否情報登録画面７から安否情報を登録できる。デジタル放送受信機５は自機の通信機能を利用し、登録された安否情報及び自機のＢ−ＣＡＳ番号をネットワーク３経由で情報収集装置１の認証登録放送装置１４に送信する。
【００２２】
認証登録放送装置１４はＢ−ＣＡＳカードの盗難による、被災者以外が被災者になりすまして安否情報を登録するリスクを排除するため、受信したデジタル放送受信機５のＢ−ＣＡＳ番号を利用して後述のようにデジタル放送受信機５の正当性を認証し、認証が成功したデジタル放送受信機５から受け付けた安否情報を登録する。認証登録放送装置１４は認証が成功したデジタル放送受信機５から受け付けた安否情報を放送することで、安否情報の信憑性を保つことができる。
【００２３】
このように、図１の情報収集システムは、安否情報登録画面７が避難所４に設置したデジタル放送受信機５のみで表示できるようにデータ放送として放送すること、及び認証が成功したデジタル放送受信機５から受け付けた安否情報のみを登録することにより、被災者以外が被災者になりすまして安否情報を登録するリスクを排除できる。
【００２４】
図２は、情報収集装置の一例のハードウェア構成図である。図２の情報収集装置１は、それぞれバスＢで相互に接続された入力装置２１，出力装置２２，ドライブ装置２３，補助記憶装置２４，メモリ装置２５，演算処理装置２６およびインターフェース装置２７で構成される。
【００２５】
入力装置２１はキーボードやマウスなどで構成され、各種信号を入力するために用いられる。出力装置２２はディスプレイ装置などで構成され、各種ウインドウやデータ等を表示するために用いられる。インターフェース装置２７は、モデム，ＬＡＮカードなどで構成されており、ネットワーク３に接続する為に用いられる。
【００２６】
情報収集プログラムは、情報収集装置１を制御する各種プログラムの少なくとも一部である。情報収集プログラムは例えば記録媒体２８の配布やネットワーク３からのダウンロードなどによって提供される。情報収集プログラムを記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２７】
また、情報収集プログラムを記録した記録媒体２８がドライブ装置２３にセットされると、情報収集プログラムは記録媒体２８からドライブ装置２３を介して補助記憶装置２４にインストールされる。ネットワーク３からダウンロードされた情報収集プログラムは、インターフェース装置２７を介して補助記憶装置２４にインストールされる。情報収集装置１は、インストールされた情報収集プログラムを格納すると共に、必要なファイル，データ等を格納する。
【００２８】
メモリ装置２５は、起動時に補助記憶装置２４から情報収集プログラムを読み出して格納する。そして、演算処理装置２６はメモリ装置２５に格納された情報収集プログラムに従って、後述するような各種処理ブロックを実現している。なお、図２のハードウェア構成図では、テレビ放送，ラジオ放送及びデータ放送を行う放送設備の図示を省略している。
【００２９】
図３はデジタル放送受信機の一例の処理ブロック図である。図３のデジタル放送受信機５は、チューナー部３１，デスクランブラ３２，ＴＳデコード部３３，映像音声デコード部３４，電話モデム３５，制御部３６，表示部３７，キー入力部３８を含む構成である。デジタル放送受信機５にはＢ−ＣＡＳカード３９が挿入されている。
【００３０】
入力された放送信号は、チューナー部３１及びデスクランブラ３２を介してＴＳデコード部３３に供給される。ＴＳデコード部３３は放送信号を映像信号，音声信号及びデータ放送コンテンツに多重分離する。多重分離されたデータ放送コンテンツは制御部３６に供給される。
【００３１】
制御部３６は、データ放送コンテンツで最初にアクセスすることになっているプログラム「ｓｔａｒｔｕｐ．ｂｍｌ」を、供給されたデータ放送コンテンツから読み出す。プログラム「ｓｔａｒｔｕｐ．ｂｍｌ」には、例えば「画面に何も表示せず、赤ボタンが長押しされたら、安否登録コンテンツのプログラム本体「ａｎｐｉ．ｂｍｌ」を読み出す」という動作を記述しておく。
【００３２】
制御部３６は、例えばリモコン４０の赤ボタンが長押しされると、安否登録コンテンツのプログラム本体「ａｎｐｉ．ｂｍｌ」を読み出す。安否登録コンテンツのプログラム本体「ａｎｐｉ．ｂｍｌ」には、例えば「デジタル放送受信機５のＢ−ＣＡＳ番号を取得し、必要であれば安否情報登録画面７をディスプレイ装置６に表示する」という動作を記述しておく。
【００３３】
制御部３６は、Ｂ−ＣＡＳカード３９からＢ−ＣＡＳ番号を取得する。制御部３６は、取得したＢ−ＣＡＳ番号が、安否情報登録画面７の表示対象となるＢ−ＣＡＳ番号を表したファイル（ｂｃａｓ．ｂｔｂ）に含まれていれば、画面に安否情報登録画面７を表示する。制御部３６は表示部３７を制御することで、安否情報登録画面７をモニター出力できる。
【００３４】
被災者は、モニター出力によりディスプレイ装置６に表示された安否情報登録画面７に、リモコン４０を操作して安否情報を登録する。制御部３６は登録された安否情報及び自機のＢ−ＣＡＳ番号を情報収集装置１に送信する前、自機の不揮発性メモリ（図示せず）であるＮＶＲＡＭ（不揮発性ＲＯＭ）の任意の領域に送信済みフラグが記憶されていなければ、１回目の送信であるので、送信済みフラグを立てる。そして、制御部３６は電話モデム３５を利用し、登録された安否情報及び自機のＢ−ＣＡＳ番号をネットワーク３経由で情報収集装置１の認証登録放送装置１４に送信する。
【００３５】
なお、制御部３６は登録された安否情報及び自機のＢ−ＣＡＳ番号を情報収集装置１に送信する前、自機の不揮発性メモリ（図示せず）であるＮＶＲＡＭ（不揮発性ＲＯＭ）の任意の領域に送信済みフラグが記憶されていれば、２回目以降の送信であるので、送信済みフラグを読み出す。そして、制御部３６は電話モデム３５を利用し、登録された安否情報，自機のＢ−ＣＡＳ番号及び読み出した送信済みフラグをネットワーク３経由で情報収集装置１の認証登録放送装置１４に送信する。
【００３６】
図４は認証登録放送装置の一例の処理ブロック図である。図４の認証登録放送装置１４は、認証部５１，安否情報登録部５２及び放送部５３を含む構成である。認証部５１は、登録された安否情報及びデジタル放送受信機５のＢ−ＣＡＳ番号をネットワーク３経由で受信すると、１回目の送信であると判定し、自機のハードディスク（図示せず）に格納した認証済みリストに、受信したＢ−ＣＡＳ番号が登録されていないことを確認する。
【００３７】
自機のハードディスク(図示せず)に格納した認証済みリストに、受信したＢ−ＣＡＳ番号が無いことを確認できれば、認証部５１はＢ−ＣＡＳ番号を登録し、認証を成功と判定する。自機のハードディスク（図示せず）に格納した認証済みリストに、受信したＢ−ＣＡＳ番号が有ることを確認すれば、認証部５１は認証を失敗と判定する。
【００３８】
また、認証部５１は、登録された安否情報，デジタル放送受信機５のＢ−ＣＡＳ番号及び送信済みフラグをネットワーク３経由で受信すると、２回目以降の送信であると判定し、自機のハードディスク(図示せず)に格納した認証済みリストに、受信したＢ−ＣＡＳ番号が有ることを確認する。
【００３９】
自機のハードディスク(図示せず)に格納した認証済みリストに、受信したＢ−ＣＡＳ番号が有ることを確認できれば、認証部５１は認証を成功と判定する。自機のハードディスク(図示せず)に格納した認証済みリストに、受信したＢ−ＣＡＳ番号が無いことを確認すれば、認証部５１は認証を失敗と判定する。
【００４０】
上記のような認証部５１の認証によれば、例えば１回目の送信後にＢ−ＣＡＳカード３９が盗まれ、Ｂ−ＣＡＳカード３９が別のデジタル放送受信機５に挿入されて利用された場合、デジタル放送受信機５からの安否情報を登録せず、はじくことができる。
【００４１】
具体的に、別のデジタル放送受信機５には送信済みフラグが無く、１回目の送信と判定して、登録された安否情報及び自機のＢ−ＣＡＳ番号をネットワーク３経由で情報収集装置１の認証部５１に送信する。認証部５１は、登録された安否情報及びデジタル放送受信機５のＢ−ＣＡＳ番号をネットワーク３経由で受信すると、１回目の送信であると判定し、自機のハードディスク(図示せず)に格納した認証済みリストに、受信したＢ−ＣＡＳ番号が無いことを確認する。しかし、認証部５１は、自機のハードディスク(図示せず)に格納した認証済みリストに、受信したＢ−ＣＡＳ番号が有るため、認証を失敗と判定する。即ち、認証部５１はＢ−ＣＡＳカードが盗難されたことを推定することができる。
【００４２】
なお、１回目の送信前にＢ−ＣＡＳカード３９が盗まれた場合は、そのＢ−ＣＡＳカード３９のＢ−ＣＡＳ番号を、Ｂ−ＣＡＳ番号ＤＢ１２に記憶されている安否情報登録画面７の表示対象となるＢ−ＣＡＳ番号から削除すればよい。
【００４３】
安否情報登録部５２は、認証が成功したデジタル放送受信機５から安否情報を登録する。放送部５３は登録した安否情報をテレビ番組，ラジオ番組，データ放送，ホームページ等で放送する。
【００４４】
なお、Ｂ−ＣＡＳ番号ＤＢ１２に記憶されている安否情報登録画面７の表示対象となるＢ−ＣＡＳ番号は、避難所４で使用するＢ−ＣＡＳ番号の一切を事前に登録しておいてもよいし、避難所４に設置されたデジタル放送受信機５のＢ−ＣＡＳ番号を登録していくようにしてもよい。
【００４５】
図１の情報収集システムでは、災害発生時に、放送局において被災者の安否情報を収集する際、安否情報登録画面７を避難所４に設置したデジタル放送受信機５で表示できるようにし、避難所４以外に設置したデジタル放送受信機５で表示できないようにデータ放送として放送することで、被災者以外が被災者になりすまして安否情報を登録するリスクを排除し、いたずらの発生を最小限に抑えることができる。
【００４６】
また、図１の情報収集システムでは、Ｂ−ＣＡＳカードの盗難による、被災者以外が被災者になりすまして安否情報を登録するリスクを排除し、いたずらの発生を最小限に抑えることができる。結果として、図１の情報収集システムでは信憑性の高い安否情報を効率的に収集できる。
【実施例２】
【００４７】
図５は本発明の情報収集システムの他の例の構成図である。図５の情報収集システムは情報収集装置１とデジタル放送受信機５とがインターネット網などのネットワーク３経由で接続されている。デジタル放送受信機５はデータ放送を受信可能であり、且つ双方向サービスを利用可能である。
【００４８】
情報収集装置１は、認証コンテンツ生成装置６１，プログラムＤＢ１１，Ｂ−ＣＡＳ番号ＤＢ１２，データ放送装置１３，認証登録放送装置１４を含む構成である。なお、図５の情報収集システムでは、１つの筐体からなる情報収集装置１を一例として記載しているが、認証コンテンツ生成装置６１，プログラムＤＢ１１，Ｂ−ＣＡＳ番号ＤＢ１２，データ放送装置１３，認証登録放送装置１４の一部又は全部を別々の筐体に設置してもよい。
【００４９】
認証コンテンツ生成装置６１は、プログラムＤＢ１１から読み出した認証コンテンツのプログラム本体と、Ｂ−ＣＡＳ番号ＤＢ１２から読み出した認証画面の表示対象となるＢ−ＣＡＳ番号を表したファイルと、過去の災害と区別する為の災害番号により、認証コンテンツを作成する。
【００５０】
認証コンテンツのプログラム本体は、例えば放送用マークアップ言語により記述される。Ｂ−ＣＡＳ番号ＤＢ１２には、認証画面の表示対象となるＢ−ＣＡＳ番号として、避難所４に設置されたデジタル放送受信機５のＢ−ＣＡＳ番号が登録されているものとする。また、認証コンテンツ生成装置６１には災害番号が登録されているものとする。
【００５１】
認証コンテンツ生成装置６１で作成された認証コンテンツはデータ放送装置１３に送信される。データ放送装置１３は認証コンテンツをデータ放送コンテンツとして放送する。避難所４に設置されているデジタル放送受信機５はデータ放送網２経由でデータ放送装置１３からのデータ放送を受信し、ディスプレイ装置６に認証画面を表示する。
【００５２】
このとき、いたずらの発生を抑えるため、図５の情報収集システムではＢ−ＣＡＳ番号を利用して、避難所４に設置したデジタル放送受信機５が認証画面を表示できるようにし、避難所４以外に設置したデジタル放送受信機５が認証画面を表示できないようにしている。
【００５３】
図５の情報収集システムでは、例えば認証画面を表示できるデジタル放送受信機５のＢ−ＣＡＳ番号を認証コンテンツのプログラム本体と共にデータ放送として放送することにより、避難所４に設置したデジタル放送受信機５で認証画面を表示でき、避難所４以外に設置したデジタル放送受信機５が認証画面を表示できないようにすることができる。
【００５４】
被災者はデジタル放送受信機５の情報入力機能を利用し、ディスプレイ装置６に表示された認証画面からパスワードを入力する。デジタル放送受信機５は自機の通信機能を利用し、入力されたパスワード及び自機のＢ−ＣＡＳ番号をネットワーク３経由で情報収集装置１の認証登録放送装置１４に送信する。
【００５５】
認証登録放送装置１４はパスワード認証を行い、その認証結果をネットワーク３経由でデジタル放送受信機５へ送信する。認証が成功すると、デジタル放送受信機５は自機の不揮発性メモリ（図示せず）であるＮＶＲＡＭに認証成功フラグと災害番号とを記憶する。
【００５６】
また、デジタル放送受信機５はＢ−ＣＡＳ番号をネットワーク３経由で情報収集装置１の認証登録放送装置１４に送信する。認証登録放送装置１４はプログラムＤＢ１１から初期設定コンテンツを読み出し、その初期設定コンテンツをネットワーク３経由でデジタル放送受信機５へ送信する。なお、初期設定コンテンツはデータ放送網２経由で受信するものでなく、ネットワーク３経由で受信するものであるため、通信コンテンツと呼ばれる。
【００５７】
デジタル放送受信機５は、受信した初期設定コンテンツに基づき、ディスプレイ装置６に初期設定画面を表示する。被災者はデジタル放送受信機５の情報入力機能を利用し、ディスプレイ装置６に表示された初期設定画面から避難所名などの初期設定情報を入力する。デジタル放送受信機５は自機の通信機能を利用し、入力された初期設定情報をネットワーク３経由で情報収集装置１の認証登録放送装置１４に送信する。認証登録放送装置１４は受信したデジタル放送受信機５のＢ−ＣＡＳ番号と関連付けて初期設定情報を登録する。
【００５８】
また、デジタル放送受信機５は再びＢ−ＣＡＳ番号をネットワーク３経由で情報収集装置１の認証登録放送装置１４に送信する。認証登録放送装置１４はプログラムＤＢ１１から安否登録コンテンツを読み出し、その安否登録コンテンツをネットワーク３経由でデジタル放送受信機５へ送信する。なお、安否登録コンテンツはデータ放送網２経由で受信するものでなく、ネットワーク３経由で受信するものであるため、通信コンテンツと呼ばれる。
【００５９】
デジタル放送受信機５は、受信した安否登録コンテンツに基づき、ディスプレイ装置６に安否情報登録画面を表示する。被災者はデジタル放送受信機５の情報入力機能を利用し、ディスプレイ装置６に表示された安否情報登録画面から名前，郵便番号，住所，コメントなどの安否情報を入力する。デジタル放送受信機５は自機の通信機能を利用し、入力された安否情報をネットワーク３経由で情報収集装置１の認証登録放送装置１４に送信する。認証登録放送装置１４は受信したデジタル放送受信機５のＢ−ＣＡＳ番号と関連付けて安否情報を登録する。
【００６０】
認証登録放送装置１４は、Ｂ−ＣＡＳ番号に基づき、避難所名などの初期設定情報と、被災者が登録した名前，郵便番号，住所，コメントなどの安否情報とを組み合わせて、テレビ番組，ラジオ番組，データ放送，ホームページ等の放送設備で放送する。
【００６１】
認証登録放送装置１４は認証が成功したデジタル放送受信機５から受け付けた初期設定情報と安否情報とを組み合わせて放送することで、安否情報の信憑性を保つことができる。
【００６２】
このように、図１の情報収集システムは、認証画面が避難所４に設置したデジタル放送受信機５のみで表示できるようにデータ放送として放送すること、及び認証が成功したデジタル放送受信機５から受け付けた初期設定情報と安否情報とを組み合わせて登録することにより、被災者以外が被災者になりすまして安否情報を登録するリスクを排除できる。
【００６３】
なお、図５の情報収集装置１のハードウェア構成は、図２と同様であり、説明を省略する。図５のデジタル放送受信機５のハードウェア構成は、図３と同様である。
【００６４】
入力された放送信号は、チューナー部３１及びデスクランブラ３２を介してＴＳデコード部３３に供給される。ＴＳデコード部３３は放送信号を映像信号，音声信号及びデータ放送コンテンツに多重分離する。多重分離されたデータ放送コンテンツは制御部３６に供給される。
【００６５】
制御部３６は、データ放送コンテンツで最初にアクセスすることになっているプログラム「ｓｔａｒｔｕｐ．ｂｍｌ」を、供給されたデータ放送コンテンツから読み出す。プログラム「ｓｔａｒｔｕｐ．ｂｍｌ」には、例えば「画面に何も表示せず、赤ボタンが長押しされたら、認証コンテンツのプログラム本体を読み出す」という動作を記述しておく。
【００６６】
制御部３６は、例えばリモコン４０の赤ボタンが長押しされると、認証コンテンツのプログラム本体を読み出す。認証コンテンツのプログラム本体には、例えば「デジタル放送受信機５のＢ−ＣＡＳ番号を取得し、必要であれば認証画面をディスプレイ装置６に表示する」という動作を記述しておく。
【００６７】
制御部３６は、Ｂ−ＣＡＳカード３９からＢ−ＣＡＳ番号を取得する。制御部３６は、取得したＢ−ＣＡＳ番号が、認証画面の表示対象となるＢ−ＣＡＳ番号を表したファイルに含まれていれば、画面に認証画面を表示する。制御部３６は表示部３７を制御することで、認証画面をモニター出力できる。
【００６８】
被災者は、ディスプレイ装置６に表示された認証画面へ、リモコン４０を操作してパスワードを入力する。制御部３６は電話モデム３５を利用し、入力されたパスワード及び自機のＢ−ＣＡＳ番号をネットワーク３経由で情報収集装置１の認証登録放送装置１４に送信する。
【００６９】
制御部３６は電話モデム３５を利用し、情報収集装置１の認証登録放送装置１４から認証結果を受信する。認証が成功すると、制御部３６は自機の不揮発性メモリ（図示せず）であるＮＶＲＡＭに認証成功フラグと災害番号とを記憶する。
【００７０】
続いて、制御部３６は電話モデム３５を利用し、自機のＢ−ＣＡＳ番号をネットワーク３経由で情報収集装置１の認証登録放送装置１４に送信する。制御部３６は電話モデム３５を利用し、情報収集装置１の認証登録放送装置１４から初期設定コンテンツを受信する。制御部３６は、受信した初期設定コンテンツに基づき、ディスプレイ装置６に初期設定画面をモニター出力する。
【００７１】
被災者は、ディスプレイ装置６に表示された初期設定画面へ、リモコン４０を操作して避難所名などの初期設定情報を入力する。制御部３６は電話モデム３５を利用し、入力された初期設定情報及び自機のＢ−ＣＡＳ番号をネットワーク３経由で情報収集装置１の認証登録放送装置１４に送信する。
【００７２】
制御部３６は電話モデム３５を利用し、情報収集装置１の認証登録放送装置１４から安否登録コンテンツを受信する。制御部３６は、受信した安否登録コンテンツに基づき、ディスプレイ装置６に安否情報登録画面をモニター出力する。
【００７３】
被災者は、ディスプレイ装置６に表示された安否情報登録画面へ、リモコン４０を操作して名前，郵便番号，住所，コメントなどの安否情報を入力する。制御部３６は電話モデム３５を利用し、入力された安否情報及び自機のＢ−ＣＡＳ番号をネットワーク３経由で情報収集装置１の認証登録放送装置１４に送信する。
【００７４】
なお、制御部３６はチャンネル変更や電源ＯＦＦの後、再び安否情報収集の為のチャンネルが選局され、赤ボタンが長押しされると、自機のＮＶＲＡＭに認証成功フラグと災害番号とが記憶されているかを確認し、自機のＮＶＲＡＭに正当な認証成功フラグと災害番号とが記憶されていれば、認証済みと判定する。認証済みであれば、制御部３６は情報収集装置１の認証登録放送装置１４から安否登録コンテンツを受信し、その安否登録コンテンツに基づき、ディスプレイ装置６に安否情報登録画面をモニター出力する。
【００７５】
図６は認証登録放送装置の一例の処理ブロック図である。図６の認証登録放送装置１４は、認証部７１，通信コンテンツ送信部７２，初期設定情報登録部７３，安否情報登録部７４及び放送部７５を含む構成である。
【００７６】
ネットワーク３経由でパスワード及びデジタル放送受信機５のＢ−ＣＡＳ番号を受信すると、認証部７１はパスワード認証を行い、その認証結果をネットワーク３経由でデジタル放送受信機５へ送信する。
【００７７】
また、ネットワーク３経由でデジタル放送受信機５のＢ−ＣＡＳ番号を受信すると、通信コンテンツ送信部７２はプログラムＤＢ１１から初期設定コンテンツ又は安否登録コンテンツを読み出し、その初期設定コンテンツ又は安否登録コンテンツをネットワーク３経由でデジタル放送受信機５へ送信する。
【００７８】
また、ネットワーク３経由で避難所名などの初期設定情報及びデジタル放送受信機５のＢ−ＣＡＳ番号を受信すると、初期設定情報登録部７３は受信したデジタル放送受信機５のＢ−ＣＡＳ番号と関連付けて初期設定情報を登録する。
【００７９】
また、ネットワーク３経由で名前，郵便番号，住所，コメントなどの安否情報及びデジタル放送受信機５のＢ−ＣＡＳ番号を受信すると、安否情報登録部７４は受信したデジタル放送受信機５のＢ−ＣＡＳ番号と関連付けて安否情報を登録する。
【００８０】
安否情報登録部７４は、更に、Ｂ−ＣＡＳ番号に基づき、避難所名などの初期設定情報と、被災者が登録した名前，郵便番号，住所，コメントなどの安否情報とを組み合わせて、放送部７５に送信する。放送部７５は、Ｂ−ＣＡＳ番号に基づいて組み合わされた初期設定情報と安否情報とを、テレビ番組，ラジオ番組，データ放送，ホームページ等の放送設備で放送する。
【００８１】
図１の情報収集システムでは、災害発生時に、放送局において被災者の安否情報を収集する際、認証画面を避難所４に設置したデジタル放送受信機５で表示できるようにし、避難所４以外に設置したデジタル放送受信機５で表示できないようにデータ放送として放送することにより、被災者以外が被災者になりすまして安否情報を登録するリスクを排除し、いたずらの発生を最小限に抑えることができる。
【００８２】
また、図１の情報収集システムでは、Ｂ−ＣＡＳカードの盗難による、被災者以外が被災者になりすまして安否情報を登録するリスクを排除し、いたずらの発生を最小限に抑えることができる。具体的に、Ｂ−ＣＡＳカードの盗難に対しては認証時に同一のＢ−ＣＡＳ番号からの認証を認めないことで対応できる。
【００８３】
また、避難所４に設置されたデジタル放送受信機５の盗難に対しては、盗難されたデジタル放送受信機５に挿入されているＢ−ＣＡＳカード３９のＢ−ＣＡＳ番号を情報収集装置１側に通知し、そのＢ−ＣＡＳ番号を安否情報登録画面７の表示対象となるＢ−ＣＡＳ番号から削除すること、及びそのＢ−ＣＡＳ番号による安否情報の登録を受け付けないことにより対処できる。
【００８４】
さらに、認証は情報収集装置１側で行うため、データ放送コンテンツを覗き見された場合のリスクも排除できる。結果として、図５の情報収集システムでは信憑性の高い安否情報を効率的に収集できる。
【００８５】
なお、デジタル放送受信機５は受信機の一例である。チューナー部３１，デスクランブラ３２及びＴＳデコード部３３は、受信手段，第１受信手段の一例である。制御部３６及び電話モデム３５は、送信手段，第１送信手段，第２受信手段及び第２送信手段の一例である。認証部５１は、認証手段の一例である。安否情報登録部５２，７４及び初期設定情報登録部７３は情報登録手段の一例である。放送部５３，７５は情報提供手段の一例である。通信コンテンツ送信部７２は情報登録コンテンツ送信手段の一例である。
【図面の簡単な説明】
【００８６】
【図１】本発明の情報収集システムの一例の構成図である。
【図２】情報収集装置の一例のハードウェア構成図である。
【図３】デジタル放送受信機の一例の処理ブロック図である。
【図４】認証登録放送装置の一例の処理ブロック図である。
【図５】本発明の情報収集システムの他の例の構成図である。
【図６】認証登録放送装置の一例の処理ブロック図である。
【符号の説明】
【００８７】
１    情報収集装置
２    データ放送網
３    ネットワーク
４    避難所
５    デジタル放送受信機
６    ディスプレイ装置
７    安否情報登録画面
１０    安否登録コンテンツ生成装置
１１    プログラムＤＢ
１２    Ｂ−ＣＡＳ番号ＤＢ
１３    データ放送装置
１４    認証登録放送装置
２１    入力装置
２２    出力装置
２３    ドライブ装置
２４    補助記憶装置
２５    メモリ装置
２６    演算処理装置
２７    インターフェース装置
３１    チューナー部
３２    デスクランブラ
３３    ＴＳデコード部
３４    映像音声デコード部
３５    電話モデム
３６    制御部
３７    表示部
３８    キー入力部
３９    Ｂ−ＣＡＳカード
４０    リモコン
５１    認証部
５２    安否情報登録部
５３    放送部
６１    認証コンテンツ生成装置
７１    認証部
７２    通信コンテンツ送信部
７３    初期設定情報登録部
７４    安否情報登録部
７５    放送部
【図１】
0005011068.tif 000002
【図２】
0005011068.tif 000003
【図３】
0005011068.tif 000004
【図４】
0005011068.tif 000005
【図５】
0005011068.tif 000006
【図６】
0005011068.tif 000007